(57)【要約】【課題】縦糸と横糸の絡み方が適度になって目ズレがなく、しかも、結節が小さくなり、操業中に網目に絡まり難く、また、潮等に流され難い、浮遊物の付き難い結節の漁網を提供する。更に、そのような漁網を容易に製造することが可能な漁網の製造法を提供する。【解決手段】横糸７を押し上げて、捲鈎１に横糸７を掛け、次いで捲鈎１に掛ける横糸７の向きとは反対方向から縦糸８を上記捲鈎１に掛け、更に捲鈎１を半回転させて横糸７を捲鈎１から外して捲鈎１を前の回転方向とは反対方向に１．５回転させて縦糸８の輪さ８ａを作り、この輪さ８ａの中に引鈎１で縦糸７の中途部を引き込み、次いで輪さ８ａの中に引き込んだ縦糸８の中途部を引鈎１から外し、縦糸８の中途部のループ内に横糸７をくぐらせて形成される結節を含む漁網と、その漁網の結節の製造方法である。【選択図】図１０
2011157649.tif 000002
【特許請求の範囲】
【請求項１】
横糸を押し上げて、この横糸の押し上げ部分に掛るように捲鈎を１回転させて捲鈎に横糸を掛け、次いで捲鈎に掛けた横糸の向きとは反対方向から縦糸を上記捲鈎に掛け、更に捲鈎を半回転させて捲鈎から横糸を外して上記挙上板を下げて上記捲鈎を前の回転方向とは反対方向に１．５回転させて縦糸の輪さを作り、この輪さの中に引鈎で上記縦糸の中途部を引き込み、次いで輪さの中に引き込んだ縦糸の中途部を上記引鈎から外し、その縦糸の中途部のループ内に上記横糸をくぐらせて形成される結節を含む漁網。
【請求項２】
編網機の挙上板で横糸を押し上げ、この横糸の押し上げ部分に掛るように捲鈎を１回転させて捲鈎に横糸を掛け、次いで捲鈎に掛けた横糸の向きとは反対方向から縦糸を上記捲鈎に掛け、更に捲鈎を半回転させて捲鈎から横糸を外して上記挙上板を下げてから上記捲鈎を前の回転方向とは反対方向に１．５回転させて縦糸の輪さを作り、この輪さの中に引鈎で上記縦糸の中途部を引き込み、次いで輪さの中に引き込んだ縦糸の中途部を上記引鈎から外し、その縦糸の中途部のループ内に上記横糸をくぐらせて形成される、漁網の結節の製造方法。
【請求項３】
横糸を押し上げ、この横糸の押し上げ部分に掛るように捲鈎を１回転させて横糸を捲鈎に掛け、次いで縦糸を上記横糸と同じ方向から捲鈎に掛け、次に上記回転とは反対の方向に捲鈎を半回転させて横糸を捲鈎から外し、更に続けて同じ方向に捲鈎を半回転させて縦糸の輪さをつくり、この輪さの中に引鈎で上記縦糸の中途部を引き込み、次いで輪さの中に引き込んだ縦糸の中途部を上記引鈎から外し、縦糸の中途部のループ内に上記横糸をくぐらせて形成される結節を含む漁網。
【請求項４】
編網機の挙上板で横糸を押し上げ、この横糸の押し上げ部分に掛るように捲鈎を１回転させて横糸を捲鈎に掛け、次いで縦糸を上記横糸と同じ方向から捲鈎に掛け、次に上記回転とは反対の方向に捲鈎を半回転させて横糸を捲鈎から外し、更に続けて同じ方向に捲鈎を半回転させて縦糸の輪さをつくり、この輪さの中に引鈎で上記縦糸の中途部を引き込み、次いで輪さの中に引き込んだ縦糸の中途部を上記引鈎から外し、縦糸の中途部のループ内に上記横糸をくぐらせて形成される、漁網の結節の製造方法。
【請求項５】
編網機の挙上板で横糸を押し上げて、この横糸の押し上げ部分に捲鈎が掛るようにその捲鈎を1回転させて捲鈎に横糸を掛け、次いで横糸と同じ方向から捲鈎に縦糸を掛け、次いで上記回転とは反対の方向に捲鈎を半回転させて横糸を捲鈎から外し、次いで上記反対方向に捲鈎を１．５回転させて縦糸の輪さをつくり、この輪さの中に引鈎で上記縦糸の中途部を引き込み、次いで輪さの中に引き込んだ縦糸の中途部を上記引鈎から外し、縦糸の中途部のループ内に横糸をくぐらせて形成される結節を含む漁網。
【請求項６】
横糸を押し上げて、この横糸の押し上げ部分に捲鈎が掛るようにその捲鈎を1回転させて捲鈎に横糸を掛け、次いで横糸と同じ方向から捲鈎に縦糸を掛け、次いで上記回転とは反対の方向に捲鈎を半回転させて横糸を捲鈎から外し、次いで上記反対方向に捲鈎を１．５回転させて縦糸の輪さをつくり、この輪さの中に引鈎で上記縦糸の中途部を引き込み、次いで輪さの中に引き込んだ縦糸の中途部を上記引鈎から外し、縦糸の中途部のループ内に横糸をくぐらせて形成される、漁網の結節の製造方法。
【発明の詳細な説明】
【技術分野】
【０００１】
本発明は、漁業における刺網、三枚網等の漁網の結節及びその漁網の結節の製造方法に関する。
【背景技術】
【０００２】
従来、刺網や三枚網などの漁網は、縦糸で横糸を２回捲き付けたダブル結節や、縦糸と横糸を絡ませて結節を構成しており、大きな結節となる構造であった。
【先行技術文献】
【特許文献】
【０００３】
【特許文献１】特公昭５７−４２７４０号公報
【発明の概要】
【発明が解決しようとする課題】
【０００４】
このような構造の結節の漁網において、ナイロンモノフィラメントの糸でダブル結節の漁網を作る場合は糸が滑り易いので操業中に目ズレが発生して網に掛かった魚が逃げたり、揚網中に脱落したり、漁網が破れた状態になったりするという問題があった。また、縦糸と横糸を絡ませて特殊な結節とした場合は糸の絡まりが複雑なもので目ズレは起こらない。しかし、結節が大きくなることから水中に投網中や揚網中に結節が網目に絡まって、網地がもつれて正常に投網されなかったり、破れたりする。また、水中で網目が正常に広がらなくなったりして、魚の掛かりが悪くなる。しかも、結節が大きいので潮の流れによる抵抗が大きく、水中で網が流され易く網成りが悪くなり易かった。また、水中のゴミ等の浮遊物が付着しやすいので操業に支障を来すという欠点があった。
【０００５】
そこで、本発明は、これらの欠点が結節構造にあることから、編網機の捲鈎や横糸挙上板、糸振などの運動を適時に組み合わせて変化させて、縦糸だけのループをつくって横糸を引き込み、縦糸だけで強く目締めして結節を編成できるように構成して、縦糸と横糸の絡み方が適度になって目ズレが起き難く、しかも、結節が小さいので、操業中に網目に絡まり難く、また、潮や波に流され難く、浮遊物の付き難い結節の漁網を提供する。更に、そのような漁網を容易に製造することが可能な漁網の製造法を提供する。
【課題を解決するための手段】
【０００６】
請求項１に係る発明は、横糸を押し上げて、この横糸の押し上げ部分に掛るように捲鈎を１回転させて捲鈎に横糸を掛け、次いで捲鈎に掛けた横糸の向きとは反対方向から縦糸を上記捲鈎に掛け、更に捲鈎を半回転させて捲鈎から横糸を外して上記挙上板を下げて上記捲鈎を前の回転方向とは反対方向に１．５回転させて縦糸の輪さを作り、この輪さの中に引鈎で上記縦糸の中途部を引き込み、次いで輪さの中に引き込んだ縦糸の中途部を上記引鈎から外し、その縦糸の中途部のループ内に上記横糸をくぐらせて形成される結節を含む漁網である。  
請求項２に係る発明は、編網機の挙上板で横糸を押し上げ、この横糸の押し上げ部分に掛るように捲鈎を１回転させて捲鈎に横糸を掛け、次いで捲鈎に掛けた横糸の向きとは反対方向から縦糸を上記捲鈎に掛け、更に捲鈎を半回転させて捲鈎から横糸を外して上記挙上板を下げてから上記捲鈎を前の回転方向とは反対方向に１．５回転させて縦糸の輪さを作り、この輪さの中に引鈎で上記縦糸の中途部を引き込み、次いで輪さの中に引き込んだ縦糸の中途部を上記引鈎から外し、その縦糸の中途部のループ内に上記横糸をくぐらせて形成される、漁網の結節の製造方法である。  
請求項３に係る発明は、横糸を押し上げ、この横糸の押し上げ部分に掛るように捲鈎を１回転させて横糸を捲鈎に掛け、次いで縦糸を上記横糸と同じ方向から捲鈎に掛け、次に上記回転とは反対の方向に捲鈎を半回転させて横糸を捲鈎から外し、更に続けて同じ方向に捲鈎を半回転させて縦糸の輪さをつくり、この輪さの中に引鈎で上記縦糸の中途部を引き込み、次いで輪さの中に引き込んだ縦糸の中途部を上記引鈎から外し、縦糸の中途部のループ内に上記横糸をくぐらせて形成される結節を含む漁網である。  
請求項４に係る発明は、編網機の挙上板で横糸を押し上げ、この横糸の押し上げ部分に掛るように捲鈎を１回転させて横糸を捲鈎に掛け、次いで縦糸を上記横糸と同じ方向から捲鈎に掛け、次に上記回転とは反対の方向に捲鈎を半回転させて横糸を捲鈎から外し、更に続けて同じ方向に捲鈎を半回転させて縦糸の輪さをつくり、この輪さの中に引鈎で上記縦糸の中途部を引き込み、次いで輪さの中に引き込んだ縦糸の中途部を上記引鈎から外し、縦糸の中途部のループ内に上記横糸をくぐらせて形成される、漁網の結節の製造方法である。  
請求項５に係る発明は、編網機の挙上板で横糸を押し上げて、この横糸の押し上げ部分に捲鈎が掛るようにその捲鈎を1回転させて横糸を捲鈎に掛け、次いで縦糸を横糸と同じ方向から捲鈎に掛け、次に捲鈎を上記回転とは反対の方向に半回転させてその捲鈎から横糸を外し、次に捲鈎を上記反対方向に１．５回転させて縦糸の輪さをつくり、この輪さの中に引鈎で上記縦糸の中途部を引き込み、次いで輪さの中に引き込んだ縦糸の中途部を上記引鈎から外し、縦糸の中途部のループ内に上記横糸をくぐらせて形成される結節を含む漁網である。  
請求項６に係る発明は、横糸を押し上げて、この横糸の押し上げ部分に掛るようにその捲鈎を1回転させて横糸を捲鈎に掛け、次いで縦糸を横糸と同じ方向から捲鈎に掛け、次に上記回転とは反対の方向に捲鈎を半回転させて捲鈎から横糸をから外し、次に上記反対方向に捲鈎を１．５回転させて縦糸の輪さをつくり、この輪さの中に引鈎で上記縦糸の中途部を引き込み、次いで輪さの中に引き込んだ縦糸の中途部を上記引鈎から外し、縦糸の中途部のループ内に上記横糸をくぐらせて形成される、漁網の結節の製造方法である。
【発明の効果】
【０００７】
本発明によれば、縦糸と横糸の絡ませ方で結節を小さくして、しかも目ずれが起き難い形態の結節で漁網を作ることから結節が網目に絡まることもなく、水中で網目が所定の形に広がり易く網成りが良くなり、しかも、汚れが付きにくくなるので魚の掛かりが良くなり、さらに脱落もしないし、網も破れないので操業に支障を来さない漁網を提供し、また、そのような漁網を容易に提供できる。
【図面の簡単な説明】
【０００８】
【図１】本発明の一実施形態の漁網を製造する過程を示すために編網機を側面から見た説明図である。
【図２】本発明の一実施形態の漁網を製造する過程を示すために編網機を側面から見た説明図である。
【図３】本発明の一実施形態の漁網を製造する過程を示すために編網機を側面から見た説明図である。
【図４】本発明の一実施形態の漁網を製造する過程を示すために編網機を側面から見た説明図である。
【図５】本発明の一実施形態の漁網を製造する過程を示すために編網機を側面から見た説明図である。
【図６】本発明の一実施形態の漁網を製造する過程を示すために編網機を側面から見た説明図である。
【図７】本発明の一実施形態の漁網を製造する過程を示すために編網機を側面から見た説明図である。
【図８】本発明の一実施形態の漁網を製造する過程を示すために編網機を側面から見た説明図である。
【図９】本発明の一実施形態の漁網を製造する過程を示すために編網機を側面から見た説明図である。
【図１０】本発明の一実施形態の漁網を製造する過程を示すために編網機を側面から見た説明図である。
【図１１】本発明の一実施形態による漁網の結節部を示し、（Ａ）は結節が緩い状態の説明図、（Ｂ）はその結節を締めた状態の説明図である。
【図１２】本発明の他の実施形態の漁網を製造する過程を示すために編網機を側面から見た説明図である。
【図１３】本発明の他の実施形態の漁網を製造する過程を示すために編網機を側面から見た説明図である。
【図１４】本発明の他の実施形態の漁網を製造する過程を示すために編網機を側面から見た説明図である。
【図１５】本発明の他の実施形態の漁網を製造する過程を示すために編網機を側面から見た説明図である。
【図１６】本発明の他の実施形態の漁網を製造する過程を示すために編網機を側面から見た説明図である。
【図１７】本発明の他の実施形態の漁網を製造する過程を示すために編網機を側面から見た説明図である。
【図１８】本発明の他の実施形態による漁網の結節部を示し、（Ａ）は結節が緩い状態の説明図、（Ｂ）はその結節を締めた状態の説明図である。
【図１９】本発明の更に他の実施形態の漁網を製造する過程を示すために編網機を側面から見た説明図である。
【図２０】本発明の更に他の実施形態の漁網を製造する過程を示すために編網機を側面から見た説明図である。
【図２１】本発明の更に他の実施形態の漁網を製造する過程を示すために編網機を側面から見た説明図である。
【図２２】本発明の更に他の実施形態の漁網を製造する過程を示すために編網機を側面から見た説明図である。
【図２３】本発明の更に他の実施形態の漁網を製造する過程を示すために編網機を側面から見た説明図である。
【図２４】本発明の更に他の実施形態の漁網を製造する過程を示すために編網機を側面から見た説明図である。
【図２５】本発明の更に他の実施形態による漁網の結節部を示し、（Ａ）は結節が緩い状態の説明図、（Ｂ）はその結節を締めた状態の説明図である。
【発明を実施するための形態】
【０００９】
本発明の一実施形態を図面に従って説明する。図１は、漁網を製造する編網機において結節を作る部分を側方から見た側面図である。
【００１０】
図１において、符号１は回転自在な捲鈎（上鈎）であり、この捲鈎１は上下方向へ延びた回転軸を有し、この回転軸回りに上から見て左右両方向へ回転可能であると共に前後方向へ傾斜可能である。そして、捲鈎１は図示しない捲鈎駆動機構により所定の動きで駆動される。捲鈎１の鈎１ａはその捲鈎１の回転軸に対して略直交する側方へ突き出して設けられている。
【００１１】
同図１中、符号４で示すものは挙上板であり、この挙上板４は、一側方に配置された舟型６から繰り出される横糸７を挙上するように図示しない挙上板駆動機構により駆動される。舟型６は後述する文銭（円盤状ボビン）１０を収納したものである（図９及び図１０参照）。
【００１２】
捲鈎１に対し、挙上板４の位置とは反対側の位置には縦糸８を繰り出す糸振５が配置されている。この糸振５は図示しない駆動機構により駆動される。縦糸８はこの糸振５によって上下左右前後に動かされ、捲鈎１の鈎１ａに引っ掛けられる。捲鈎１の下方には、縦糸８の繰出し位置を定める櫛２と、編まれた網をガイドする網すべらし３とが設けられている。
【００１３】
次に、横糸７と縦糸８により編む網の製造過程について図１〜１１を参照して説明する。
【００１４】
まず、図１に示すように捲鈎１が上方へ位置してその鈎１ａを糸振５側へ向けた状態のままで図２において示すように挙上板４により横糸７を挙上する。そして挙上板４により横糸７を挙上した後に捲鈎１を図１の状態から左側へ半回転し、図２に示す状態とする。捲鈎１を図２に示す状態から更に左側へ半回転して図３に示す状態とする。捲鈎１はこの図３に示す状態では図１の状態に戻るが、捲鈎１の鈎１ａに横糸７が掛かった状態となる。
【００１５】
次いで、図４に示すように糸振５により縦糸８を横糸７とは反対側から捲鈎１の鈎１ａに引っ掛ける。この図４の状態から捲鈎１を右側へ半回転して図５に示すように横糸７が捲鈎１の鈎１ａから外す。
【００１６】
そして、横糸７を押し上げていた挙上板４を下げ、更に図６から図７まで捲鈎１を左側へ１．５回転して縦糸８に輪さ（ループ）８ａを作る。ここで捲鈎１を左側へ１．５回転させることで捲鈎１は縦糸８の輪さ８ａを捻り、捲鈎１の位置が図５の位置から図７の状態になる。
【００１７】
次に、図８に示すように舟型６が位置する側から輪さ８ａの中へ引鈎９を挿通する。そして、図８に示すように輪さ８ａを突き抜けた引鈎９の鈎９ａに対し、糸振５の上下左右前後運動により縦糸８の途中部分を掛ける状態とする。
【００１８】
次いで、図９に示すように縦糸８の途中部分を鈎９ａに掛けたまま引鈎９を戻し、縦糸８の途中部分を、輪さ８ａの中を通して舟型６が位置する側へ引き抜く状態とする。
【００１９】
そして図１０に示すように鈎９ａに引っ掛けていた縦糸８の途中のループ部分を鈎９ａから外すように引鈎９を動かし、横糸７の繰り出し側部分を巻き取ってある文銭（円盤状ボビン）１０を収納した舟型６の下側に誘導して縦糸８のループ部分を開放する。すると、縦糸８のループ部分は、舟型６の下側斜面や円弧面を経て通り、横糸７を輪さ８aの中にくぐらせて引き出して、輪さ８aを捲鈎から外して結節を形成する。
【００２０】
このような手順を経て横糸７と縦糸８によって図１１（Ａ）に示したような緩めた状態の結節が形成される。最後に横糸７と縦糸８を引き締めると、図１１（Ｂ）に示されるように硬く締まった結節が形成され、所定の漁網が得られる。
【００２１】
次に、本発明の他の実施形態に係る漁網の結節を作る過程について図１２〜１８を参照して説明する。
【００２２】
この他の実施形態では、まず、挙上板４により横糸７の途中部分を持ち上げ、この持ち上げ状態で図１２に示すように捲鈎１を右側に半回転し、更に右側に半回転して捲鈎１の鈎１ａに横糸７を引っ掛ける。次いで、図１３に示すように糸振５の上下左右運動により縦糸８の途中部分を横糸７と同じ方向で捲鈎１の鈎１ａに掛ける。
【００２３】
次に、捲鈎１を図１４に示すように上記回転と反対方向の左側に半回転して横糸７を捲鈎１の鈎１ａから横糸７を外す状態とする。この状態で図１５に示すように挙上板４を下げる。
【００２４】
次いで図１６に示すように捲鈎１を更に左に半回転して縦糸８で輪さ８ａを作る。この縦糸８の輪さ８ａの中に図１７に示すように引鈎９を差し込んで通し、この引鈎９の鈎９ａに縦糸８の中途部を引っ掛ける。そして上述したと同様にして縦糸８の中途部を輪さ８ａの中を通して引き出し、この引き出したループ部分に横糸７をくぐらせて結節を形成する。
【００２５】
このようにして緩めた状態の結節が形成される。この状態が図１８（Ａ）に示される。最後に結節を締めると、図１８（Ｂ）に示されるように漁網の結節が形成される。
【００２６】
次に、本発明の更に他の実施形態の製造過程について図１９〜２５を参照して説明する。
【００２７】
この実施形態では、まず、図１９に示すとおり、挙上板４により横糸７を持ち上げて捲鈎１を右に半回転し、更に、図２０に示すように捲鈎１を右へ半回転して横糸７を鈎１の鈎１ａに引っ掛け、次いで縦糸８を横糸７と同じ方向で鈎１ａに掛ける（図２０参照）。
【００２８】
次に、捲鈎１を上記回転方向とは反対方向の左に半回転して横糸７が捲鈎１から外れるようにする（図２１参照）。そして、図２２に示すように挙上板４を下げ、次いで捲鈎
１を右に１．５回転して、図２３に示すように縦糸８で輪さ８ａを作る。この輪さ８ａの中に上述したと同様にして引鈎９を挿通して引鈎９の鈎９ａに縦糸８の中途部を引っ掛けて（図２４参照）、これを輪さ８ａの中を通して反対側へ引き出して、この引き出したループ部分に横糸８をくぐらせて結節を形成する。
【００２９】
このようにして緩めた状態の結節が形成される。この状態が図２５（Ａ）に示される。最後に結節を締めると、図２５（Ｂ）に示されるように漁網の結節が形成される。
【００３０】
以上、本発明の好ましい実施形態およびその変形例について説明してきたが、本発明は上述のものに限るものではない。また、それらを様々に組み合わせることも可能である。
【産業上の利用可能性】
【００３１】
本発明は、縦糸と横糸の絡ませ方で結節を小さくして、しかも、目ズレしない結節で漁網を作ることにより、結節が網目に絡まることも無いので水中で網目の広がりが良く網成りが良く、汚れが少ないので魚の掛かりが良く、脱落もしないし、網も破れない等操業に支障を来たし難い有用な漁網を提供する。
【符号の説明】
【００３２】
１…捲鈎、２…櫛、３…網すべらし、４…挙上板、５…糸振、６…舟型、
７…横糸、８…縦糸、８ａ…輪さ、９…引鈎、１０…文銭。
【図１】
2011157649.tif 000003
【図２】
2011157649.tif 000004
【図３】
2011157649.tif 000005
【図４】
2011157649.tif 000006
【図５】
2011157649.tif 000007
【図６】
2011157649.tif 000008
【図７】
2011157649.tif 000009
【図８】
2011157649.tif 000010
【図９】
2011157649.tif 000011
【図１０】
2011157649.tif 000012
【図１１】
2011157649.tif 000013
【図１２】
2011157649.tif 000014
【図１３】
2011157649.tif 000015
【図１４】
2011157649.tif 000016
【図１５】
2011157649.tif 000017
【図１６】
2011157649.tif 000018
【図１７】
2011157649.tif 000019
【図１８】
2011157649.tif 000020
【図１９】
2011157649.tif 000021
【図２０】
2011157649.tif 000022
【図２１】
2011157649.tif 000023
【図２２】
2011157649.tif 000024
【図２３】
2011157649.tif 000025
【図２４】
2011157649.tif 000026
【図２５】
2011157649.tif 000027